(57)【要約】【課題】  複数のサーバ機能を有する複合機に画像データの処理を依頼する手段としてクライアントを機能させるためのファクシミリドライバプログラムにおいて、ユーザの無駄な操作を減少させることができるファクシミリドライバプログラムを提供すること。【解決手段】  本発明のファクシミリドライバプログラム１は、クライアント１０を、複合機３０に依頼する処理の種別を登録する手段、登録されている処理の種別に対応する画面を要求するコマンドを複合機３０に送信する第１の送信手段、として機能させるためのものである。【選択図】      図１
2006345178.tif 000002
【特許請求の範囲】
【請求項１】
複数のサーバ機能を有する複合機に画像データの処理を依頼する手段としてクライアントを機能させるためのファクシミリドライバプログラムにおいて、
前記クライアントを、前記複合機に依頼する処理の種別を登録する手段、登録されている処理の種別に対応する画面を要求するコマンドを前記複合機に送信する第１の送信手段、として機能させるためのファクシミリドライバプログラム。
【請求項２】
前記クライアントを、前記複合機に依頼する処理の種別を選択するための選択画面の要否情報を登録する手段、登録されている前記要否情報が要である場合に、前記選択画面を要求するコマンドを前記複合機に送信する第２の送信手段、として更に機能させ、
前記第１の送信手段は、登録されている前記要否情報が否である場合に、登録されている処理の種別に対応する画面を要求するコマンドを前記複合機に送信するものである請求項１記載のファクシミリドライバプログラム。
【請求項３】
前記クライアントを、認証情報を登録する手段として更に機能させ、
前記第１の送信手段は、登録されている認証情報を前記処理の種別に対応する画面を要求するコマンドとともに前記複合機に送信するものであり、
前記第２の送信手段は、登録されている認証情報を前記選択画面を要求するコマンドとともに前記複合機に送信するものである請求項２記載のファクシミリドライバプログラム。
【請求項４】
前記クライアントを、登録されている認証情報を前記複合機へ送信するか否かの設定を登録する手段として更に機能させ、
前記第１の送信手段は、登録されている設定が前記複合機へ送信する設定である場合に、登録されている認証情報を前記処理の種別に対応する画面を要求するコマンドとともに前記複合機に送信するものであり、
前記第２の送信手段は、登録されている設定が前記複合機へ送信する設定である場合に、登録されている認証情報を前記選択画面を要求するコマンドとともに前記複合機に送信するものである請求項３記載のファクシミリドライバプログラム。
【発明の詳細な説明】
【技術分野】
【０００１】
本発明は、送信機能、掲示板機能、回覧機能など複数のサーバ機能を有する複合機に各種の処理を依頼する機能をクライアントに持たせるためのファクシミリドライバプログラムに関する。
【背景技術】
【０００２】
従来より、送信機能、掲示板機能、回覧機能など複数のサーバ機能を有する複合機がある（例えば、特許文献１参照。）。このような複合機に接続されるクライアントには、複合機に各種の処理を依頼する機能を持たせるためのファクシミリドライバプログラムがインストールされている。
【０００３】
ところで、上記の複合機は、画像データに対して複数の処理を行うことができるため、ユーザは、まず最初に、クライアントを通じて複合機に行わせたい処理の種別を選択する必要がある。この複合機に依頼する処理の種別の選択は、クライアントのブラウザ等により表示された画面上で行われるようになっている。
【０００４】
以下、クライアントの文書作成ソフト等で作成した文書の画像データに対して、複合機に送信等の処理を行わせる場合について説明する。図６（ａ）は、文書作成ソフトによって表示される文書作成画面１０１を例示した図である。図６（ａ）に示す文書作成画面１０１において、印刷ボタン１０２がマウス（不図示）等で操作されると、ファクシミリドライバプログラムが起動される。クライアントは、ファクシミリドライバプログラムの実行により、作成した文書の画像データとともに処理の種別を選択するためのメニュー画面を要求するコマンドを複合機に送信する。複合機は、クライアントから画像データと上記のコマンドを受信すると、図６（ｂ）に示すようなメニュー画面１０３をクライアントに返信し、クライアントは、複合機から返信されてきたメニュー画面１０３をブラウザにより表示する。クライアントは、ユーザによって、送信処理を示す送信アイコン１０４、掲示板処理を示す掲示板アイコン１０５、回覧処理を示す回覧アイコン１０６のうちのいずれか、例えば、送信アイコン１０４が選択されると、選択された送信処理の依頼要求を複合機に送信する。複合機は、クライアントから例えば送信処理の依頼要求を受信すると、図６（ｃ）に示すような送信設定画面１０７をクライアントに返信する。送信設定画面１０７は、図６（ｃ）に例示するように、送信先のファクシミリ番号やメールアドレスを入力するための入力ボックス等が設けられている。また、複合機は、掲示板処理の依頼要求を受信した場合は、掲示板設定画面１０８をクライアントに返信し、回覧処理の依頼要求を受信した場合は、回覧設定画面１０９をクライアントに返信する。これらの設定画面１０７乃至１０９は、複合機に依頼する処理の詳細を設定するための画面である。クライアントは、複合機から返信されてきた設定画面をブラウザにより表示し、設定画面を通じてユーザにより設定された情報を複合機に送信する。複合機は、設定画面を通じて設定された情報を受信すると、これにしたがって画像データを例えばファクシミリ送信する。
【特許文献１】特開平６−２１６９３３号公報
【発明の開示】
【発明が解決しようとする課題】
【０００５】
上記のように、複合機が送信機能、掲示板機能、回覧機能など複数のサーバ機能を有する場合、ファクシミリドライバプログラムは、クライアントに図６（ｂ）に示したようなメニュー画面１０３を取得させている。そして、ユーザは、メニュー画面１０３に表示されたアイコン１０４乃至１０６のいずれかを選択し、複合機に依頼する処理の種別を選択するようになっている。しかし、このような複合機に依頼する処理の種別の選択は、複合機に特定の処理のみを行わせるユーザにとっては、クライアントを通じて複合機のサーバ機能を利用する毎に行わなければならない無駄な操作であるという問題点があった。
【０００６】
また、ユーザは、メニュー画面１０３において複合機に依頼する処理の種別を選択するとともに、ユーザＩＤ、パスワード等の認証情報を入力する必要があり、この認証情報の入力も無駄な操作であるという問題点があった。
【０００７】
本発明は、上記問題点に鑑みてなされたものであり、送信機能、掲示板機能、回覧機能など複数のサーバ機能を有する複合機に各種の処理を依頼する機能をクライアントに持たせるためのファクシミリドライバプログラムにおいて、ユーザの無駄な操作を減少させることができるファクシミリドライバプログラムを提供することを目的とする。
【課題を解決するための手段】
【０００８】
上記目的を達成するために、請求項１記載のファクシミリドライバプログラムは、複数のサーバ機能を有する複合機に画像データの処理を依頼する手段としてクライアントを機能させるためのファクシミリドライバプログラムにおいて、前記クライアントを、前記複合機に依頼する処理の種別を登録する手段、登録されている処理の種別に対応する画面を要求するコマンドを前記複合機に送信する第１の送信手段、として機能させることを特徴としている。
【０００９】
請求項２記載のファクシミリドライバプログラムは、請求項１記載のファクシミリドライバプログラムにおいて、前記クライアントを、前記複合機に依頼する処理の種別を選択するための選択画面の要否情報を登録する手段、登録されている前記要否情報が要である場合に、前記選択画面を要求するコマンドを前記複合機に送信する第２の送信手段、として更に機能させ、前記第１の送信手段は、登録されている前記要否情報が否である場合に、登録されている処理の種別に対応する画面を要求するコマンドを前記複合機に送信するものであることを特徴としている。
【００１０】
請求項３記載のファクシミリドライバプログラムは、請求項２記載のファクシミリドライバプログラムにおいて、前記クライアントを、認証情報を登録する手段として更に機能させ、前記第１の送信手段は、登録されている認証情報を前記処理の種別に対応する画面を要求するコマンドとともに前記複合機に送信するものであり、前記第２の送信手段は、登録されている認証情報を前記選択画面を要求するコマンドとともに前記複合機に送信するものであることを特徴としている。
【００１１】
請求項４記載のファクシミリドライバプログラムは、請求項３記載のファクシミリドライバプログラムにおいて、前記クライアントを、登録されている認証情報を前記複合機へ送信するか否かの設定を登録する手段として更に機能させ、前記第１の送信手段は、登録されている設定が前記複合機へ送信する設定である場合に、登録されている認証情報を前記処理の種別に対応する画面を要求するコマンドとともに前記複合機に送信するものであり、前記第２の送信手段は、登録されている設定が前記複合機へ送信する設定である場合に、登録されている認証情報を前記選択画面を要求するコマンドとともに前記複合機に送信するものであることを特徴としている。
【発明の効果】
【００１２】
請求項１記載のファクシミリドライバプログラムによれば、複合機に特定の処理を行わせるユーザは、複合機に依頼する処理の種別をクライアントに登録させることにより、クライアントを通じて複合機のサーバ機能を利用する毎に、複合機に依頼する処理の種別を選択する必要がない。このように、請求項１記載のファクシミリドライバプログラムによれば、ユーザの無駄な操作を減少させることができる。
【００１３】
請求項２記載のファクシミリドライバプログラムによれば、複合機に特定の処理を行わせるユーザは、選択画面の要否情報として否をクライアントに登録させ、また、複合機に依頼する処理の種別をクライアントに登録させることにより、クライアントを通じて複合機のサーバ機能を利用する毎に、複合機に依頼する処理の種別を選択する必要がないという利点がある。また、複合機に様々な処理を行わせるユーザは、選択画面の要否情報として要をクライアントに登録させることにより、クライアントを通じて複合機のサーバ機能を利用する毎に、複合機に依頼する処理の種別を選択することができるという利点がある。
【００１４】
請求項３記載のファクシミリドライバプログラムによれば、請求項１記載のファクシミリドライバプログラムの効果に加えて、ユーザは、認証情報をクライアントに登録させることにより、クライアントを通じて複合機のサーバ機能を利用する毎に、認証情報を入力するという無駄な操作を行う必要がないという利点がある。
【００１５】
請求項４記載のファクシミリドライバプログラムによれば、認証情報を複合機へ送信する設定が登録されている場合に限り、認証情報が複合機に送信されるので、ユーザは、認証情報を複合機へ送信しない設定をクライアントに登録させることにより、自身が使用するクライアントから他のユーザが複合機のサーバ機能を利用すること等を防止することができる。
【発明を実施するための最良の形態】
【００１６】
以下、本発明の実施形態に係るファクシミリドライバプログラムを図面に基づいて説明する。本発明のファクシミリドライバプログラム１は、図１に示すように、パーソナルコンピュータであるクライアント（以下、「クライアントＰＣ」という。）１０にインストールされている。クライアントＰＣ１０は、ファクシミリドライバプログラム１により、ＬＡＮ（Local Area Network）２０を介して接続される複合機３０に各種の処理を依頼する機能を有する。なお、本実施形態においては、クライアントとしてパーソナルコンピュータを使用する場合について説明するが、クライアントは、これに限定されるものではなく、例えば、ワークステーションであってもよい。
【００１７】
クライアントＰＣ１０は、図１に例示するように、制御部１１、操作部１２、表示部１３、補助記憶装置１４、ＬＡＮ Ｉ／Ｆ（Local Area Network Interface）１５等を備えたものであって、各部１１乃至１５はバス１６によって通信可能に接続されている。制御部１１は、図示しないが、ＣＰＵ(Central Processing Unit)、ＲＯＭ（Read Only Memory）、ＲＡＭ（Random Access Memory）等からなり、ＲＯＭに格納された制御プログラム、補助記憶装置１４に組み込まれたファクシミリドライバプログラム１等のプログラムにしたがって、各種の処理を実行する。操作部１２は、図示しないが、キーボード、マウス等からなり、各種の情報を入力ないし選択するためのものである。表示部１３は、各種の画面を表示するモニタである。補助記憶装置１４には、ファクシミリドライバプログラム１等、各種のプログラムが組み込まれている。ＬＡＮ Ｉ／Ｆ１５は、ＬＡＮ２０とクライアントＰＣ１０とを通信可能に接続するインターフェースである。この他、クライアントＰＣ１０には、ＯＳ（Operating Systems）、ブラウザが組み込まれている。
【００１８】
ＬＡＮ２０を介してクライアントＰＣ１０が接続される複合機３０は、複数のサーバ機能を有する。具体的には、クライアントＰＣ１０から送信されてきた画像データを外部装置（不図示）にファクシミリ送信したり、インターネットファクシミリ送信するファクシミリサーバ機能、画像データを所定のＨＴＭＬ（Hypertext Markup Language）ファイル（以下、「ウェブページ」という。）にアップロードする掲示板サーバ機能、画像データを他のクライアントＰＣに配信する回覧サーバ機能及び処理依頼サーバ機能、画像データを自装置３０に一時的に保存する一時保存サーバ機能を実装している。この他、複合機３０は、ウェブサーバ機能を実装しており、クライアントＰＣ１０から要求されたウェブページをクライアントＰＣ１０に送信する。複合機３０とクライアントＰＣ１０とは、例えばＨＴＴＰ（Hypertext Transfer Protocol）により通信を行う。
【００１９】
複合機３０は、上記のように、複数のサーバ機能を有し、クライアントＰＣ１０から送信される画像データに対して、送信処理、掲示板処理、回覧処理等を行う。ユーザは、クライアントＰＣ１０から送信される画像データに対して複合機３０に依頼する処理の種別を選択する必要があるが、複合機３０に特定の処理しか行わせないユーザにとって、複合機３０に依頼する処理の種別を選択することは、面倒な操作となる。このため、ユーザは、クライアントＰＣ１０において、処理の種別の選択を省略するように設定することができる。
【００２０】
上記処理の種別の省略設定は、例えば次に示すようなファクシミリドライバ設定画面から行われる。クライアントＰＣ１０において所定操作がなされると、ファクシミリドライバプログラム１が起動され、図２に示すようなファクシミリドライバ設定画面４０が表示部１３に表示される。ファクシミリドライバ設定画面４０は、図２に例示するように、ユーザＩＤを入力するためのユーザＩＤ入力ボックス４１、パスワードを入力するためのパスワード入力ボックス４２、複合機３０に処理を依頼する毎に、ユーザＩＤ及びパスワードからなる認証情報をユーザが入力するか否かを選択するためのチェックボックス４３、複合機３０に依頼する処理の種別を選択するためのラジオボタン４４ａ（４４）乃至４４ｅ（４４）、複合機３０に依頼する処理の種別を選択するための選択画面（以下、「メニュー画面」という。）の要否を選択するためのラジオボタン４５ａ（４５）及び４５ｂ（４５）、当該画面において入力ないし選択された情報を登録するための設定ボタン４６等を具備する。
【００２１】
前記ファクシミリドライバ設定画面４０において入力ないし選択された情報は、ユーザによって設定ボタン４６が操作部１２から操作されることにより、ファクシミリドライバプログラム１のレジストリに登録される。具体的には、クライアントＰＣ１０は、ユーザＩＤ入力ボックス４１に入力されたユーザＩＤ、パスワード入力ボックス４２に入力されたパスワードを登録する。また、クライアントＰＣ１０は、チェックボックス４３がチェックされている場合は、複合機３０に処理を依頼する毎に、認証情報を複合機３０へ送信する設定を登録し、チェックボックス４３がチェックされていない場合は、認証情報を複合機３０へ送信しない設定を登録する。また、クライアントＰＣ１０は、選択されたラジオボタン４４が示す処理の種別を登録する。例えば、送信処理を示すラジオボタン４４ａが選択されている場合は、処理の種別として「送信処理」を登録する。また、クライアントＰＣ１０は、ラジオボタン４５ａが選択されている場合は、メニュー画面の要否情報として、メニュー画面が必要であることを示す「要」を登録し、ラジオボタン４５ｂが選択されている場合は、メニュー画面の要否情報として、メニュー画面が不要であることを示す「否」を登録する。
【００２２】
以下、クライアントＰＣ１０の補助記憶装置１４に組み込まれた文書作成ソフトで作成した文書の画像データに対する処理を複合機３０に依頼する場合について説明する。図６（ａ）は、文書作成ソフトによって表示部１３に表示される文書作成画面１０１を例示した図である。図６（ａ）に示す文書作成画面１０１において、印刷ボタン１０２が操作部１２から操作されると、ファクシミリドライバプログラム１が起動される。クライアントＰＣ１０は、ファクシミリドライバプログラム１の実行により、画像データとともに各種の画面を要求するコマンド等を複合機３０に送信するが、ファクシミリドライバプログラム１のレジストリに登録されている情報によって、送信するコマンド等が異なる。
【００２３】
クライアントＰＣ１０は、ファクシミリドライバプログラム１のレジストリに、メニュー画面の要否情報として「要」が登録されており、且つ認証情報を複合機３０へ送信しない設定が登録されている場合は、メニュー画面を要求するコマンドを画像データとともに複合機３０に送信する。複合機３０は、メニュー画面を要求するコマンド及び画像データを受信すると、図３（ａ）に示すようなメニュー画面４７のウェブページをクライアントＰＣ１０に返信する。
【００２４】
クライアントＰＣ１０は、複合機３０から返信されてきたメニュー画面４７のウェブページを受信すると、ブラウザを起動し、ブラウザにより表示部１３にメニュー画面４７を表示する。メニュー画面４７は、図３（ａ）に例示するように、ユーザＩＤを入力するためのユーザＩＤ入力ボックス４８、パスワードを入力するためのパスワード入力ボックス４９、複合機３０に依頼する処理の種別を選択するためのアイコン５０ａ（５０）乃至５０ｅ（５０）等を具備する。クライアントＰＣ１０は、いずれかのアイコン５０が操作部１２から操作されると、操作されたアイコン５０が示す処理の種別に対応する画面を要求するコマンド、及び入力された認証情報を複合機３０に送信する。例えば、送信処理を示すアイコン５０ａが操作されると、「送信処理」に対応する画面を要求するコマンド及び認証情報を複合機３０に送信する。ここでは、クライアントＰＣ１０が「送信処理」に対応する画面を要求するコマンドを送信したものとして説明する。
【００２５】
複合機３０は、「送信処理」に対応する画面を要求するコマンド及び認証情報を受信すると、図４（ａ）に示すような送信設定画面５１のウェブページをクライアントＰＣ１０に返信する。クライアントＰＣ１０は、複合機３０から返信されてきた送信設定画面５１のウェブページを受信すると、ブラウザにより表示部１３に送信設定画面５１を表示する。この送信設定画面５１等、複合機３０に依頼する処理の種別に対応する画面は、複合機３０に依頼する処理の詳細を設定するための画面である。送信設定画面５１は、図４（ａ）に例示するように、送信先のファクシミリ番号を入力するためのファクシミリ番号入力ボックス５２、送信先のメールアドレスを入力するためのメールアドレス入力ボックス５３、複合機３０に画像データの送信を指示するための送信ボタン５４等を具備する。送信設定画面５１において入力されたファクシミリ番号やメールアドレスは、送信ボタン５４がユーザによって操作部１２から操作されると、複合機３０に送信される。複合機３０は、クライアントＰＣ１０から送信先のファクシミリ番号やメールアドレスを受信すると、これにしたがい、画像データを送信先へ送信する。
【００２６】
このように、ファクシミリドライバプログラム１のレジストリに、メニュー画面の要否情報として「要」が登録されており、且つ認証情報を複合機３０へ送信しない設定が登録されている場合は、従来のように、ユーザは、複合機３０に依頼する処理の種別の選択及び認証情報の入力を行う必要があるが、認証情報を複合機３０へ送信する設定が登録されている場合は、認証情報の入力が省略され、更に、メニュー画面の要否情報として「否」が登録されている場合は、複合機３０に依頼する処理の種別の選択が省略される。
【００２７】
クライアントＰＣ１０は、ファクシミリドライバプログラム１のレジストリに、メニュー画面の要否情報として「要」が登録されており、且つ認証情報を複合機３０へ送信する設定が登録されている場合は、メニュー画面を要求するコマンド及び前記レジストリに登録されている認証情報を画像データとともに複合機３０に送信する。複合機３０は、メニュー画面を要求するコマンド、認証情報、及び画像データを受信すると、図３（ｂ）に示すようなメニュー画面４７のウェブページをクライアントＰＣ１０に返信する。このメニュー画面４７のウェブページは、図３（ａ）に示したメニュー画面４７と異なり、ユーザＩＤ入力ボックス４８及びパスワード入力ボックス４９に、クライアントＰＣ１０から送信されてきたユーザＩＤ及びパスワードがそれぞれ入力される。クライアントＰＣ１０は、複合機３０から返信されてきたメニュー画面４７のウェブページを受信すると、ブラウザにより表示部１３にメニュー画面４７を表示する。図３（ｂ）に示すように、メニュー画面４７のユーザＩＤ入力ボックス４８及びパスワード入力ボックス４９には、それぞれユーザＩＤ及びパスワードが入力されているので、ユーザは、認証情報を入力することなく、いずれかのアイコン５０を操作するのみで、クライアントＰＣ１０から複合機３０に依頼する処理の種別を選択することができる。
【００２８】
また、クライアントＰＣ１０は、ファクシミリドライバプログラム１のレジストリに、メニュー画面の要否情報として「否」が登録されており、且つ認証情報を複合機３０へ送信しない設定が登録されている場合は、前記レジストリに登録されている処理の種別に対応する画面を要求するコマンドを画像データとともに複合機３０に送信する。例えば、「送信処理」に対応する画面を要求するコマンドを複合機３０に送信する。複合機３０は、処理の種別に対応する画面を要求するコマンドを受信すると、図４（ｂ）に示すようなログイン画面５５のウェブページをクライアントＰＣ１０に返信する。
【００２９】
クライアントＰＣ１０は、複合機３０から返信されてきたログイン画面５５のウェブページを受信すると、ブラウザにより表示部１３にログイン画面５５を表示する。ログイン画面５５は、図４（ｂ）に例示するように、ユーザＩＤを入力するためのユーザＩＤ入力ボックス５６、パスワードを入力するためのパスワード入力ボックス５７、当該画面において入力された認証情報を複合機３０に送信するためのログインボタン５８等を具備する。ログインボタン５８が操作されると、ログイン画面５５において入力されたユーザＩＤ及びパスワードが複合機３０に送信される。複合機３０は、ユーザＩＤ及びパスワードを受信すると、受信済みのコマンドにしたがって、処理の種別に対応する画面、例えば図４（ａ）に示す送信設定画面５１のウェブページをクライアントＰＣ１０に返信する。
【００３０】
このように、ファクシミリドライバプログラム１のレジストリに、メニュー画面の要否情報として「否」が登録されており、且つ認証情報を複合機３０へ送信しない設定が登録されている場合は、複合機３０に依頼する処理の種別の選択は省略されるが、クライアントＰＣ１０を通じて複合機３０のサーバ機能を利用する毎に、ユーザによる認証情報の入力が必要となる。したがって、ユーザは、認証情報を複合機３０へ送信しない設定をクライアントＰＣ１０に登録させることにより、自身が使用するクライアントＰＣ１０から他のユーザが複合機３０のサーバ機能を利用すること等を防止することができる。
【００３１】
また、クライアントＰＣ１０は、ファクシミリドライバプログラム１のレジストリに、メニュー画面の要否情報として「否」が登録されており、且つ認証情報を複合機３０へ送信する設定が登録されている場合は、前記レジストリに登録されている処理の種別に対応する画面を要求するコマンド及び認証情報を画像データとともに複合機３０に送信する。複合機３０は、処理の種別に対応する画面を要求するコマンド、認証情報、及び画像データを受信すると、処理の種別に対応する画面、例えば図４（ａ）に示す送信設定画面５１のウェブページをクライアントＰＣ１０に返信する。
【００３２】
このように、ファクシミリドライバプログラム１のレジストリに、メニュー画面の要否情報として「否」が登録されており、且つ認証情報を複合機３０へ送信する設定が登録されている場合は、複合機３０からクライアントＰＣ１０に処理の種別に対応する画面が返信され、クライアントＰＣ１０の表示部１３に送信設定画面５１等の複合機３０に依頼する処理の種別に対応する画面が表示される。したがって、複合機３０に特定の処理を行わせるユーザは、メニュー画面の要否情報として「否」をクライアントＰＣ１０に登録させ、また、複合機３０に依頼する処理の種別をクライアントＰＣ１０に登録させることにより、クライアントＰＣ１０を通じて複合機のサーバ機能を利用する毎に、複合機３０に依頼する処理の種別を選択する必要がなく、無駄な操作が減少する。
【００３３】
なお、本実施形態においては、クライアントＰＣ１０に登録されているメニュー画面の要否情報が「否」である場合、いずれかの処理の種別に対応する画面のウェブページが複合機３０からクライアントＰＣ１０に返信されるようになっているが、例えば、図５に示すように、送信設定画面５１等の処理の種別に対応する画面とともに、メニュー画面４７を表示するか否かを選択するためのポップアップメニュー５９が表示されるウェブページが複合機３０からクライアントＰＣ１０に返信されるようにしてもよい。そして、メニュー画面４７を表示することが選択された場合は、メニュー画面４７のウェブページが複合機３０からクライアントＰＣ１０に返信されるようにしてもよい。
【産業上の利用可能性】
【００３４】
本発明は、例えば、送信機能、掲示板機能、回覧機能など複数のサーバ機能を有する複合機に各種の処理を依頼する機能をクライアントに持たせるためのファクシミリドライバプログラムに適用することができる。
【図面の簡単な説明】
【００３５】
【図１】本発明のファクシミリドライバプログラムがインストールされるクライアントＰＣの構成例を示すブロック図である。
【図２】ファクシミリドライバ設定画面の一例を示した図である。
【図３】メニュー画面の一例を示した図である。
【図４】（ａ）は、送信設定画面の一例を示した図であり、（ｂ）は、ログイン画面の一例を示した図である。
【図５】送信設定画面及びポップアップメニューの一例を示した図である。
【図６】（ａ）は、文書作成画面の一例を示した図であり、（ｂ）は、メニュー画面の一例を示した図であり、（ｃ）は、設定画面の一例を示した図である。
【符号の説明】
【００３６】
１    ファクシミリドライバプログラム
１０    クライアントＰＣ
３０    複合機
４０    ファクシミリドライバ設定画面
４７    メニュー画面
５１    送信設定画面
【図１】
2006345178.tif 000003
【図２】
2006345178.tif 000004
【図３】
2006345178.tif 000005
【図４】
2006345178.tif 000006
【図５】
2006345178.tif 000007
【図６】
2006345178.tif 000008